(57)【要約】【課題】鉗子口部分の大幅な変更をすることなく、簡単な構成にて処置具を固定でき、また処置具を所望の挿入位置で容易に固定できるようにする。【解決手段】本体１３に栓部１４が着脱自在となり、弾性材料からなる鉗子栓１２において、上記本体１３に連結部２１を介して、弾性ゴム材料の円柱状ブロック体からなるストッパ部材２２を一体形成し、このストッパ部材２２の外周から中心へ向けて切り欠き部（挟持部）２４を形成する。このストッパ部材２２は、その切り欠き部２４で処置具１６を挟みながら、嵌合凹部２２ａを円板状凸部１４ｂに嵌め入れ、切り欠き部２４の中央空間部２４ａに処置具１６を配置する。これにより、処置具１６を挿抜方向に動かないように固定することができる。上記ストッパ部材は、本体１３に対し着脱自在となるようにしてもよい。【選択図】図１
2009268777.tif 000002
【特許請求の範囲】
【請求項１】
処置具を通す挿通路が形成された本体、及びこの本体の挿通路入口に着脱自在となる栓部を有する内視鏡の鉗子栓において、
上記本体に連結部を介して一体的に形成され、外周から中心へ向けた切り欠き部が形成された弾性材料のブロック状体からなり、上記本体挿通路に通された処置具を上記切り欠き部により挟んで該処置具を固定するためのストッパ部材を設けたことを特徴とする内視鏡の鉗子栓。
【請求項２】
上記ストッパ部材を上記本体又は該本体に装着の栓部に固定するために、凸部と凹部の結合形式の固定構造を設けたことを特徴とする請求項１記載の内視鏡の鉗子栓。
【請求項３】
上記栓部を上記本体に固定するために、凸部と凹部の結合形式の固定構造を設けると共に、上記ストッパ部材に、上記固定構造の一方を設け、上記ストッパ部材を上記本体に固定できるようにしたことを特徴とする請求項２記載の内視鏡の鉗子栓。
【請求項４】
上記本体の上部に形成した固定構造の一方を上記栓部の上部にも設け、上記本体と栓部の両方に対し上記ストッパ部材を選択的に固定できるようにしたことを特徴とする請求項３記載の内視鏡の鉗子栓。
【発明の詳細な説明】
【技術分野】
【０００１】
本発明は処置具を導入する鉗子口に取り付けられる内視鏡の鉗子栓、特にこの鉗子栓に通される処置具が動かないようにするための構成に関する。
【背景技術】
【０００２】
図６には、従来の内視鏡の構成が示されており、この内視鏡は、例えば固体撮像素子を備えた先端部１Ａ、湾曲部１Ｂ、そして操作部１Ｃ等を有する。この操作部１Ｃには、鉗子栓を有する鉗子口（処置具挿通チャンネル導入口）３が設けられ、この鉗子口３から先端部１Ａの先端面まで、処置具挿通チャンネル４が配設される。この処置具挿通チャンネル４には、被観察体内の流体物等を吸引するための吸引管５が接続されており、上記処置具挿通チャンネル４は吸引管としても機能するようになっている。また、上記操作部１Ｃには、湾曲操作ノブ６が設けられると共に、吸引ボタン７等が配置される。
【０００３】
図７には、上記鉗子口部分の構成の一例が示されており、上述の鉗子口３に、弾性ゴム材質の鉗子栓８が取り付けられる。この鉗子栓８は、本体８ａの上部に蓋体８ｂを着脱自在にする構成とされ、この本体８ａの中心部に処置具を通すことのできる直線状の第１スリットＳ１が形成され、上記蓋体８ｂの中心部にも同様の第２スリットＳ２が形成されている。
【０００４】
このような鉗子栓によれば、上記スリットＳ１，Ｓ２を押し開けながら、処置具を処置具挿通チャンネル４内へ導入することができ、この処置具は内視鏡の先端部１Ａから被観察体内へ導かれることにより、各種の処置が可能となる。また、処置具を抜いて取り外した時には、スリットＳ１，Ｓ２が閉じることで、処置具挿通チャンネル４内の密閉性が維持され、上記吸引ボタン７の操作によって、処置具挿通チャンネル４を介した吸引が可能になる。
【０００５】
そして、従来では、上記の鉗子栓を介して挿入される処置具を固定することが行われており、例えば下記特許文献１の内視鏡の処置具固定機構では、処置具挿通チャンネルの入口の処置具挿入口金の側壁部に、切り欠き孔を形成し、この切り欠き孔から内部へ向けてブレーキ部材を配置し、このブレーキ部材を処置具の側面に当接させることで、処置具を固定することができる。
【０００６】
また、下記特許文献２の内視鏡鉗子口用アダプタでは、鉗子口に設けられた鉗子栓に、管状のアダプタ連結部材を着脱自在に設け、このアダプタ連結部材は、内部に配置された弾性の処置具一体部材を押圧部材で密着固定することで、処置具の移動を規制するように構成し、またこのアダプタ連結部材の先端側に、処置具位置変更部材を着脱自在に設け、これによって処置具の位置を段階的に調整するものが開示されている。
【特許文献１】特開２００７−７５４０５号公報
【特許文献２】特開２００３−３８４２７号公報
【発明の開示】
【発明が解決しようとする課題】
【０００７】
しかしながら、上記特許文献１の内視鏡の処置具固定機構では、ブレーキ部材を配置するために、切り欠き孔が形成された形状の処置具挿通管路を内視鏡の鉗子口部分に設ける必要があり、内視鏡の鉗子口部分を大幅に変更しなければならず、また構成が複雑になるというという問題がある。一方、上記特許文献２の内視鏡鉗子口用アダプタでは、構成が複雑であると共に、処置具位置変更部材を用いて処置具の挿入位置を段階的に調整することは可能であるが、所望の挿入位置への微調整ができないという問題がある。
【０００８】
本発明は上記問題点に鑑みてなされたものであり、その目的は、鉗子口部分の大幅な変更をすることなく、簡単な構成にて処置具を固定することができ、また処置具位置変更部材を用いることなく、処置具を所望の挿入位置で容易に固定することが可能となる内視鏡の鉗子栓を提供することにある。
【課題を解決するための手段】
【０００９】
上記目的を達成するために、請求項１の発明に係る内視鏡の鉗子栓は、処置具を通す挿通路が形成された本体、及びこの本体の挿通路入口に着脱自在となる栓部を有する内視鏡の鉗子栓において、上記本体に連結部を介して一体的に形成され、外周から中心へ向けた切り欠き部（挟持部）が形成された弾性材料のブロック状（塊状）体からなり、上記本体挿通路に通された処置具を上記切り欠き部により挟んで該処置具を固定するためのストッパ部材を設けたことを特徴とする。
請求項２の発明は、上記ストッパ部材を上記本体又は該本体に装着の栓部に固定するために、凸部と凹部の結合形式の固定構造を設けたことを特徴とする。
請求項３の発明は、上記栓部を上記本体に固定するために、凸部と凹部の結合形式の固定構造を設けると共に、上記ストッパ部材に、上記固定構造の一方を設け、上記ストッパ部材を上記本体に固定できるようにしたことを特徴とする。
請求項４の発明は、上記本体の上部に形成した固定構造の一方を上記栓部の上部にも設け、上記本体と栓部の両方に対し上記ストッパ部材を選択的に固定できるようにしたことを特徴とする。
【００１０】
本発明の構成によれば、処置具は、蓋部を開けた状態の鉗子栓本体から又は蓋部を閉じた状態の蓋部から、鉗子口を介して処置具挿通チャンネル内へ挿入されるが、この処置具をストッパ部材の切り欠き部で挟み、このストッパ部材を本体又は蓋部の上部に当接して取り付ければ、処置具が少なくとも先端側へ移動しない固定状態にすることができる。
【００１１】
請求項２，３の構成によれば、上記切り欠き部で処置具を挟みながら、例えばストッパ部材の下側中央部に設けられた凸部又は凹部を、本体又は栓部の上側中央部に設けられた凹部又は凸部に嵌合・係止することで、ストッパ部材が本体又は栓部の上側に固定されることになり、この結果、処置具が設定した挿入位置で（挿抜方向において）移動しない固定状態となる。
【発明の効果】
【００１２】
本発明の内視鏡の鉗子栓によれば、切り欠き部を形成した弾性材料のストッパ部材を鉗子栓本体に一体的に設けたので、内視鏡の鉗子口部分の大幅な変更、改造をすることなく、簡単な構成で、処置具を固定することができ、また、処置具位置変更部材を用いることなく、微調整が可能となり、処置具を所望の挿入位置で容易に固定することができるという効果がある。
【発明を実施するための最良の形態】
【００１３】
図１及び図２には、第１実施例に係る内視鏡の鉗子栓の構成が示されており、実施例の内視鏡は、図６で説明したものと同様となっている。図１に示されるように、鉗子口１０に、鉗子栓１２が取り付けられており、この鉗子栓１２は、弾性ゴム材料からなり、円柱状の本体１３とこの本体の上部に着脱自在に取り付けられる栓部（蓋部）１４を有している。即ち、図２に示されるように、鉗子栓１２の本体１３の下部には、円柱状空間の上に直径が大きい円板状空間を重ねてなる嵌合凹部１３ａが設けられ、この嵌合凹部１３ａを鉗子口１０の上部の円板状（フランジ状）凸部に嵌め入れることで、鉗子栓１２が鉗子口１０に取り付けられる。
【００１４】
また、上記本体１３の内部が処置具１６の挿通路となるが、この挿通路に処置具１６を密着状態で通すためのスリット１７が設けられ、そのスリット１７の上側に、円板状空間の上に逆円錐台形状空間を重ねてなる嵌合凹部１３ｂが形成される。一方、栓部１４は、本体１３に、連結部（帯状体の曲げ部）１８を介して一体に形成されており、この栓部１４の内側に、上記嵌合凹部１３ｂに嵌合する形状の円板状凸部（円錐台形の上に円板を重ねたものを下向きに形成したもの）１４ａが形成され、外側にも、円錐台形の上に該円錐台形上部よりも直径が大きい（外周が張り出す）円板を重ねてなる円板状凸部１４ｂが形成される。この栓部１４の凸部１４ａ，１４ｂの中央には、スリット１９が形成されており、このスリット１９は、通常では完全に閉じられて栓の役割をする一方、処置具１６を通過させることができるものである。
【００１５】
そして、第１実施例では、上記本体１３に、帯状体の連結部２１を介してストッパ部材２２が設けられており、このストッパ部材２２は、鉗子栓１２と同じ弾性ゴム材料から円柱ブロック状に形成され、その下部に、上記栓部１４の円板状凸部１４ｂに嵌合する嵌合凹部２２ａが設けられる。即ち、この嵌合凹部２２ａは、円錐台形状空間の上に円板状空間を重ねた凹部となる。また、このストッパ部材２２には、円柱の外周から中心へ向けて長手方向（処置具挿抜方向）全体にわたって切り欠いた（スリットを入れた）もので、中心部に処置具１６の直径よりも小さな直径の円柱状中央空間部２４ａを有する切り欠き部（挟持部）２４が形成されており、この切り欠き部２４は、処置具１６の外周に密着して該処置具１６をしっかりと挟むことができるようになっている。上記中央空間２４ａは、必須のものではない。
【００１６】
第１実施例は以上の構成からなり、この例では、栓部１４を開けた状態で、本体１３のスリット１７を介して処置具１６を挿入することもできると共に、図１（Ａ），図２に示されるように、栓部１４を閉じた状態で、スリット１９、１７を介して処置具１６を鉗子口から処置具挿通チャンネル内へ挿入することができる。そして、処置具１６が所望の挿入位置にセットされた後、図１（Ｂ）に示されるように、ストッパ部材２２の切り欠き部２４で処置具１６を挟みながら、嵌合凹部２２ａを円板状凸部１４ｂに嵌め入れ、切り欠き部２４の中央空間部２４ａに処置具１６を配置する。この結果、ストッパ部材２２は処置具１６をしっかりと挟持することができ、これによって、処置具１６は挿抜方向に動かないように固定される。
【００１７】
このように、通常は鉗子栓１２だけに処置具１６が挿通された状態で処置具１６を操作し、処置具１６を挿抜方向における所定位置で固定したいときには、処置具１６を鉗子栓１２から抜き取ることなく、処置具１６の側方から切欠き部２４を嵌め込むだけの操作で簡単に処置具１６を固定することができる。
【００１８】
なお、第１実施例では、円板状凸部１４ｂと嵌合凹部２２ａによって、ストッパ部材２２を固定するようにしたが、これらの固定構造を設けず、単にストッパ部材２２を栓部１４の上面に当接配置することで、処置具１６の挿入方向（先端へ向かう一方向）の動きのみを停止することもできる。
【００１９】
図３及び図４には、第２実施例に係る内視鏡の鉗子栓の構成が示されており、この第２実施例は、ストッパ部材を本体に着脱自在にしたものである。図３（Ａ），図４に示されるように、鉗子栓２６の本体１３は第１実施例の場合と同様であり、スリット１７、下部の嵌合凹部１３ａが設けられると共に、上部に、円板状空間の上に逆円錐台形状空間を重ねてなる嵌合凹部１３ｂが形成される。一方、この本体１３に対し連結部１８を介して栓部２７が一体形成され、この栓部２７の内側に、上記嵌合凹部１３ｂに嵌合する形状の円板状凸部２７ａが設けられると共に、この栓部２７の凸部２７ａの中央に、スリット２８が形成されている。なお、このスリット２８は必須のものではない。
【００２０】
そして、第２実施例では、上記本体１３に帯状体の連結部２１を介してストッパ部材３０が設けられ、このストッパ部材３０は、弾性ゴム材料からなる円柱ブロック状体の下部に、上記本体１３の嵌合凹部１３ｂに嵌合する円板状凸部３０ａが設けられる。この円板状凸部３０ａは、円板状凸部２７ａと同様に、逆円錐台形の下に該円錐台形下部よりも直径が大きい円板を重ねた形状とされる。また、このストッパ部材３０には、円柱の外周から中心へ向けて縦方向で切り欠き、中心部に処置具１６の直径よりも小さな直径の中央空間部３１ａを有する切り欠き部３１が形成されている。
【００２１】
第２実施例は以上の構成からなり、この例でも、栓部２７を開けた状態、栓部２７を閉じた状態の両方で、スリット１７、２８を介して処置具１６を鉗子口から処置具挿通チャンネル内へ挿入することができる。そして、この第２実施例では、栓部２７を開けた状態で、本体２３に対し処置具１６を挿入し、所望の位置にセットしたとき、図３（Ｂ）に示されるように、ストッパ部材３０の切り欠き部３１で処置具１６を挟みながら、円板状凸部３０ａを嵌合凹部１３ｂに嵌め入れ、切り欠き部３１の中央空間部３１ａに処置具１６を配置することで、ストッパ部材２２が処置具１６を挟持し、これによって、挿抜方向に動かないように処置具１６がしっかりと固定される。
【００２２】
図５には、第３実施例の構成が示されており、この第３実施例は、ストッパ部材を本体と栓部の両方に着脱自在となるようにしたものである。この第３実施例の鉗子栓３２では、本体１３に連結部１８を介して一体形成された栓部３３において、内側に第２実施例の場合と同様の円板状凸部３３ａが設けられ、かつ外側に本体１３の嵌合凹部１３ｂと同一形状の嵌合凹部３３ｂが形成される。そして、連結部２１を介して配置されるストッパ部材３０は、第２実施例と同一のものであり、下部には、上記嵌合凹部１３ｂと３３ｂの両方に嵌合する円板状凸部３０ａが設けられている。
【００２３】
このような第３実施例によれば、栓部３３を閉めたときと開けたときの両方で、ストッパ部材３０を使用できることになる。即ち、図５に示されるように、栓部３３を閉めたときは、挿通路に通した処置具１６に対し、円板状凸部３０ａを嵌合凹部３３ｂに嵌め入れることにより、ストッパ部材３０を栓部３３に取り付け、処置具１６の移動を規制することができる。一方、栓部３３を開けたときは、円板状凸部３０ａを嵌合凹部１３ｂに嵌め入れることにより、ストッパ部材３０を本体１３に取り付け、処置具１６の移動を規制することができる。
【００２４】
上記第３実施例は、第１実施例の栓部１４とストッパ部材２２において、凸と凹の形状を逆にしたものとなるが、第２実施例（図４）においても、嵌合する凹凸形状を逆にし、本体１３の上部に円板状凸部を設け、栓部２７の内側及びストッパ部材３０の下部に、嵌合凹部を形成するように構成することもできる。
【００２５】
また、上記各実施例では、ストッパ部材２２，３０を円柱状ブロック体としたが、このストッパ部材２２，３０として、角柱状、円球状等のブロック体を用いるようにしてもよい。更に、ストッパ部材の固定構造を鉗子栓の中央部に配置するようにしたが、処置具１６の挿通路を含まない鉗子栓の外周側部とストッパ部材下部の外周側部に固定構造を設けるようにしてもよい。
【図面の簡単な説明】
【００２６】
【図１】本発明の第１実施例に係る内視鏡の鉗子栓の構成を示し、図（Ａ）はストッパ部材装着前の斜視図、図（Ｂ）はストッパ部材装着後の斜視図である。
【図２】第１実施例の鉗子栓の断面図である。
【図３】第２実施例の鉗子栓の構成を示し、図（Ａ）はストッパ部材装着前の斜視図、図（Ｂ）はストッパ部材装着後の斜視図である。
【図４】第２実施例の鉗子栓の断面図である。
【図５】第３実施例の鉗子栓の構成を示す断面図である。
【図６】従来の内視鏡の構成を示す図である。
【図７】従来における内視鏡の鉗子栓の構成を示す断面図である。
【符号の説明】
【００２７】
３，１０…鉗子口、          ８，１２，２６，３２…鉗子栓、
８ａ，１３…鉗子栓本体、    ８ｂ，１４，２７，３３…栓部、
１３ａ，１３ｂ，２２ａ，３３ｂ…嵌合凹部、
１４ａ，１４ｂ，２７ａ，３０ａ，３３ａ…円板状凸部、
１６…処置具、              ２２，３０…ストッパ部材、
２４，３１…切り欠き部。
【図１】
2009268777.tif 000003
【図２】
2009268777.tif 000004
【図３】
2009268777.tif 000005
【図４】
2009268777.tif 000006
【図５】
2009268777.tif 000007
【図６】
2009268777.tif 000008
【図７】
2009268777.tif 000009